(57)【要約】【課題】信号再生装置および信号再生方法を提供する。【解決手段】複数のトラックにまたがった状態で記録媒体を走査して重畳再生信号を取得する再生ヘッドと、複数の重畳再生信号が入力され、前記複数の重畳再生信号から各トラックの再生信号を抽出するパーシャルレスポンスフィルタと、前記パーシャルレスポンスフィルタにより抽出された再生信号をビット列に復号するビット復号部と、前記ビット復号部による復号結果に基づいて各トラックの再生信号に対する干渉信号のレプリカを生成するレプリカ生成部と、前記レプリカ生成部により生成された前記干渉信号のレプリカを前記複数の重畳再生信号から減算する干渉キャンセラと、を備え、前記パーシャルレスポンスフィルタは、前記干渉キャンセラによる減算後の前記複数の重畳再生信号から各トラックの再生信号を再度抽出する、信号再生装置。【選択図】図６
2012048800.tif 000002
【特許請求の範囲】
【請求項１】
複数のトラックにまたがった状態で記録媒体を走査して重畳再生信号を取得する再生ヘッドと、
前記トラックの間隔方向上の複数の位置から前記再生ヘッドにより取得された複数の重畳再生信号が入力され、前記複数の重畳再生信号から各トラックの再生信号を抽出するパーシャルレスポンスフィルタと、
前記パーシャルレスポンスフィルタにより抽出された再生信号をビット列に復号するビット復号部と、
前記ビット復号部による復号結果に基づいて各トラックの再生信号に対する干渉信号のレプリカを生成するレプリカ生成部と、
前記レプリカ生成部により生成された前記干渉信号のレプリカを前記複数の重畳再生信号から減算する干渉キャンセラと、
を備え、
前記パーシャルレスポンスフィルタは、前記干渉キャンセラによる減算後の前記複数の重畳再生信号から各トラックの再生信号を再度抽出する、信号再生装置。
【請求項２】
前記トラックの間隔方向上の複数の位置は、再生信号の検出対象の２以上のトラックの少なくともいずれかに前記再生ヘッドがまたがり、他のトラックには前記再生ヘッドがまたがらない位置である、請求項１に記載の信号再生装置。
【請求項３】
前記信号再生装置は、
前記ビット復号部により得られたビット列の誤り検出を行う誤り検出部と、
前記誤り検出部による誤り検出の結果に応じ、前記ビット復号部による復号結果を前記レプリカ生成部に供給するか否かを切り替える切替部と、
をさらに備える、請求項２に記載の信号再生装置。
【請求項４】
前記レプリカ生成部は、
各トラックに対するトラック間干渉信号のレプリカ、および各トラック内の符号間干渉信号のレプリカを生成し、
前記干渉キャンセラは、第１のトラックに着目する第１の重畳再生信号からは前記第１のトラックに対する前記トラック間干渉信号のレプリカを減算し、第２のトラックに着目する第２の重畳再生信号からは前記第２のトラック内の前記符号間干渉信号のレプリカを減算する、請求項３に記載の信号再生装置。
【請求項５】
前記パーシャルレスポンスフィルタは、
前記重畳再生信号から前記トラックの再生信号をターゲット応答へ等化する事前に取得された干渉抑圧用タップ係数を用いて前記複数の重畳再生信号から各トラックの再生信号を抽出し、
前記トラック以外の他のトラックの再生信号が除去された前記重畳再生信号から前記トラックの再生信号をターゲット応答へ等化する事前に取得された干渉除去後タップ係数を用いて前記干渉キャンセラによる減算後の前記複数の重畳再生信号から各トラックの再生信号を抽出する、請求項４に記載の信号再生装置。
【請求項６】
複数のトラックにまたがった状態で再生ヘッドが記録媒体を走査して、前記トラックの間隔方向上の複数の異なる位置から複数の重畳再生信号を取得するステップと、
前記複数の重畳再生信号から各トラックの再生信号を抽出するステップと、
前記再生信号をビット列に復号するステップと、
前記ビット列の復号結果に基づいて各トラックの再生信号に対する干渉信号のレプリカを生成するステップと、
前記干渉信号のレプリカを前記複数の重畳再生信号から減算するステップと、
前記干渉信号のレプリカの減算後の前記複数の重畳再生信号から各トラックの再生信号を再度抽出するステップと、
を含む、信号再生方法。
【発明の詳細な説明】
【技術分野】
【０００１】
本発明は、信号再生装置および信号再生方法に関する。
【背景技術】
【０００２】
近日、磁気ディスク装置における記録密度を向上するために、再生ヘッド、媒体、および信号処理技術などの研究が盛んに行なわれている。例えば、トラック密度を高めるためには、一般的により狭い幅の再生ヘッドの製作が必要になるが、特許文献１には、再生ヘッドの幅を狭めることなくトラック密度が向上した場合の信号再生方法が開示されている。以下、図９〜図１１を参照し、特許文献１に記載されている従来の信号再生方法について具体的に説明する。
【０００３】
従来の信号再生方法では、図９に示したように、磁気記録媒体の１回転ごとに再生ヘッド９１をヘッド駆動機構によって移動させてデータを読み出す。また、再生ヘッド９１は、図９に示したように複数のトラックにまたがるように位置決めされる。
【０００４】
例えば、ある時点においてトラック＃１およびトラック＃２にまたがる位置に再生ヘッド９１が位置決めされていたとする。この場合、再生ヘッド９１は、トラック＃１の磁気信号ｓ１とトラック＃２の磁気信号ｓ２とが重畳された信号を読み出す。すなわち、再生ヘッド９１から出力される信号ｘ１は、トラック＃１およびトラック＃２の磁気信号をある比率で重ね合わせた信号となる。
【０００５】
さらに、磁気記録媒体の１回転後は、再生ヘッド９１はおよそ１トラックピッチ移動し、トラック＃２およびトラック＃３にまたがる位置に配されるので、このときに出力される信号ｘ２は、トラック＃２の磁気信号ｓ２およびトラック＃３磁気信号ｓ３が重畳された信号となる。
【０００６】
同様に、磁気記録媒体がさらに１回転した後、再生ヘッド９１はおよそ１トラックピッチ移動し、トラック＃３およびトラック＃４にまたがる位置に配されるので、このときに出力される信号ｘ３は、トラック＃３の磁気信号ｓ３およびトラック＃４磁気信号ｓ４が重畳された信号となる。
【０００７】
このように、再生ヘッド９１から上記の３つの状態で信号ｘ１、ｘ２、およびｘ３が時系列に連続して得られる。
【０００８】
そして、各信号ｘ１、ｘ２、およびｘ３は、図１０に示したように信号再生回路９２に送られる。信号再生回路９２は、遅延回路９３Ａ〜９３Ｃを備え、各遅延回路９３は、磁気記録媒体が１回転するのに要する時間だけ入力される信号を遅延させて出力する。図１０に示した例では、２つの遅延回路９３Ａおよび９３Ｂにより遅延された信号ｘ１、１つの遅延回路９３Ｃにより遅延された信号ｘ２、および遅延回路を通過しないｘ３信号が同時にトラック弁別処理部９４に入力される。これにより、疑似的に３つの再生ヘッドにより隣接トラックの同時読み出しが実現されたこととなる。
【０００９】
ここで、各信号ｘ１、ｘ２、およびｘ３は、各トラックからの信号磁界の線形結合となっていることから、トラック＃１〜トラック＃４の各々から発生する信号磁界をｓ＝［ｓ１，ｓ２，ｓ３，ｓ４］Ｔとすると、再生ヘッド９１から出力される信号ｘ＝［ｘ１，ｘ２，ｘ３］Ｔは以下の数式１のように表現される。
【００１０】
【数１】
2012048800.tif 000003
【００１１】
数式１において、αｉｊ（ｉ＝１〜３、ｊ＝１〜４）は、信号磁界ｓｊが信号ｘｉに及ぼす影響の大きさを示す係数であり、磁性層の磁気的な伝達関数に依存することから伝達係数と称される。したがって、以下の数式２のように表現される伝達関数行列が既知であれば、以下の数式３に示す演算によって各トラックの信号磁界ｓを算出することが可能である。なお、図１１に示した逆行列計算部９６が数式２に示した伝達係数行列の逆行列を演算し、行列乗積部９８が数式３に示した演算を実行する。
【００１２】
【数２】
2012048800.tif 000004
【００１３】
【数３】
2012048800.tif 000005
【先行技術文献】
【特許文献】
【００１４】
【特許文献１】特開２００３−３０３４０１号公報
【発明の概要】
【発明が解決しようとする課題】
【００１５】
しかし、従来の信号再生方法では、トラック間干渉を逆行列演算によって除去するので、トラック間干渉が大きくなるにつれて伝達係数行列の非正則性が大きくなる。その結果、逆行列演算に際して雑音強調が発生し、再生信号のＳＮ比が劣化し、十分な精度の再生信号を得ることが困難となる。
【００１６】
そこで、本発明は、上記問題に鑑みてなされたものであり、本発明の目的とするところは、複数トラックの信号が重畳された重畳再生信号から各トラックの再生信号を高い精度で取得することが可能な、新規かつ改良された信号再生装置および信号再生方法を提供することにある。
【課題を解決するための手段】
【００１７】
上記課題を解決するために、本発明のある観点によれば、複数のトラックにまたがった状態で記録媒体を走査して重畳再生信号を取得する再生ヘッドと、前記トラックの間隔方向上の複数の位置から前記再生ヘッドにより取得された複数の重畳再生信号が入力され、前記複数の重畳再生信号から各トラックの再生信号を抽出するパーシャルレスポンスフィルタと、前記パーシャルレスポンスフィルタにより抽出された再生信号をビット列に復号するビット復号部と、前記ビット復号部による復号結果に基づいて各トラックの再生信号に対する干渉信号のレプリカを生成するレプリカ生成部と、前記レプリカ生成部により生成された前記干渉信号のレプリカを前記複数の重畳再生信号から減算する干渉キャンセラと、を備え、前記パーシャルレスポンスフィルタは、前記干渉キャンセラによる減算後の前記複数の重畳再生信号から各トラックの再生信号を再度抽出する、信号再生装置が提供される。かかる構成によれば、再生ヘッドに対して狭い幅でトラックが形成された記録媒体から、例えばトラック間干渉を除去および活用することによりトラック間干渉が増加した場合でも信号検出を行うことができる。このため、記録媒体の記録密度の向上を図りつつ、高精度な信号検出を実現することが可能である。
【００１８】
前記トラックの間隔方向上の複数の位置は、再生信号の検出対象の２以上のトラックの少なくともいずれかに前記再生ヘッドがまたがり、他のトラックには前記再生ヘッドがまたがらない位置であってもよい。かかる構成によれば、検出対象以外のトラックから再生ヘッドが干渉信号を読み出してしまう場合を抑制できるので、信号検出精度のさらなる向上を図ることが可能である。
【００１９】
前記信号再生装置は、前記ビット復号部により得られたビット列の誤り検出を行う誤り検出部と、前記誤り検出部による誤り検出の結果に応じ、前記ビット復号部による復号結果を前記レプリカ生成部に供給するか否かを切り替える切替部と、をさらに備えてもよい。かかる構成によれば、ビット誤り検出の結果に応じて繰り返し検出処理を継続するか否かを切り替えることが可能である。
【００２０】
前記レプリカ生成部は、各トラックに対するトラック間干渉信号のレプリカ、および各トラック内の符号間干渉信号のレプリカを生成し、前記干渉キャンセラは、第１のトラックに着目する第１の重畳再生信号からは前記第１のトラックに対する前記トラック間干渉信号のレプリカを減算し、第２のトラックに着目する第２の重畳再生信号からは前記第２のトラック内の前記符号間干渉信号のレプリカを減算してもよい。かかる構成によれば、双方の重畳再生信号に、第１のトラックの信号を残すことが可能となる。
【００２１】
前記パーシャルレスポンスフィルタは、前記重畳再生信号から前記トラックの再生信号をターゲット応答へ等化する事前に取得された干渉抑圧用タップ係数を用いて前記複数の重畳再生信号から各トラックの再生信号を抽出し、前記トラック以外の他のトラックの再生信号が除去された前記重畳再生信号から前記トラックの再生信号をターゲット応答へ等化する事前に取得された干渉除去後タップ係数を用いて前記干渉キャンセラによる減算後の前記複数の重畳再生信号から各トラックの再生信号を抽出してもよい。かかる構成によれば、重畳再生信号からトラック間干渉を抑制しつつ符号間干渉が抑制された各トラックの再生信号を抽出し、干渉キャンセラによる減算後の重畳再生信号から符号間干渉が抑制された各トラックの再生信号を抽出することができる。
【００２２】
また、上記課題を解決するために、本発明の別の観点によれば、複数のトラックにまたがった状態で再生ヘッド記録媒体を走査して、前記トラックの間隔方向上の複数の異なる位置から複数の重畳再生信号を取得するステップと、前記複数の重畳再生信号から各トラックの再生信号を抽出するステップと、前記再生信号をビット列に復号するステップと、前記ビット列の復号結果に基づいて各トラックの再生信号に対する干渉信号のレプリカを生成するステップと、前記干渉信号のレプリカを前記複数の重畳再生信号から減算するステップと、前記干渉信号のレプリカの減算後の前記複数の重畳再生信号から各トラックの再生信号を再度抽出するステップと、を含む信号再生方法が提供される。かかる構成によれば、再生ヘッドに対して狭い幅でトラックが形成された記録媒体から、例えばトラック間干渉を除去および活用することによりトラック間干渉が増加した場合であっても信号検出を行うことができる。このため、記録媒体の記録密度の向上を図りつつ、高精度な信号検出を実現することが可能である。
【発明の効果】
【００２３】
以上説明したように本発明によれば、複数トラックの信号が重畳された重畳再生信号から各トラックの再生信号を高い精度で取得することが可能である。
【図面の簡単な説明】
【００２４】
【図１】本発明の実施形態による信号処理装置の構成を示した説明図である。
【図２】記録信号生成部の構成を示した機能ブロック図である。
【図３】記録信号生成部の構成を示した機能ブロック図である。
【図４】ヘッドによる走査の変形例を示した説明図である。
【図５】再生信号処理部の構成を示した機能ブロック図である。
【図６】マルチトラック信号検出部の構成を示した機能ブロック図である。
【図７】繰り返し処理の初期段階での各干渉の残留状態を示した説明図である。
【図８】繰り返し回数が増加した段階での各干渉の残留状態を示した説明図である。
【図９】従来の信号再生方法によるヘッド走査を示した説明図である。
【図１０】従来の信号再生回路を示した説明図である。
【図１１】従来のトラック弁別処理部を示した説明図である。
【発明を実施するための形態】
【００２５】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２６】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてバッファ２２Ａ、およびバッファ２２Ｂのように区別する。ただし、実質的に同一の機能構成を有する複数の構成要素の各々を特に区別する必要がない場合、同一符号のみを付する。例えば、バッファ２２Ａ、およびバッファ２２Ｂを特に区別する必要が無い場合には、単にバッファ２２と称する。
【００２７】
＜１．信号処理装置の基本構成＞
まず、図１を参照し、信号再生装置および信号記録装置としての機能を有する本発明の実施形態による信号処理装置１の基本構成を説明する。
【００２８】
図１は、本発明の実施形態による信号処理装置１の構成を示した説明図である。図１に示したように、本発明の実施形態による信号処理装置１は、記録媒体４と、スピンドルモータ６と、ヘッド８と、記録信号生成部１０と、再生信号処理部２０と、を備える。
【００２９】
記録媒体４は、スピンドルモータ６に装着されており、スピンドルモータ６によって回転駆動される。この記録媒体４は、図１に示したように、複数トラックが形成された磁気ディスクであってもよい。なお、図１においては記録媒体４として１枚の磁気ディスクのみを示しているが、信号処理装置１は複数枚の磁気ディスクを有してもよい。
【００３０】
ヘッド８は、記録信号生成部１０から供給される記録信号を記録媒体４に記録する記録ヘッド、および記録媒体４から再生信号を読み出す再生ヘッドとして機能する。また、本実施形態によるヘッド８は、図３および図４を参照して具体的に説明するように、記録媒体４のトラック幅よりも大きいので、複数トラックにまたがった状態で記録媒体４を走査する。
【００３１】
記録信号生成部１０は、記録媒体４に記録するための記録信号を生成する。また、再生信号処理部２０は、記録媒体４からヘッド８により読み出された再生信号を処理する。このような記録信号生成部１０の詳細な構成については図２を参照して説明し、再生信号処理部２０の詳細な構成については図５および図６を参照して説明する。
【００３２】
なお、上述した信号処理装置１は、例えばＰＣ（Ｐｅｒｓｏｎａｌ  Ｃｏｍｐｕｔｅｒ）、家庭用映像処理装置（ＤＶＤレコーダ、ビデオデッキなど）、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、ＰＤＡ（Ｐｅｒｓｏｎａｌ  Ｄｉｇｉｔａｌ  Ａｓｓｉｓｔａｎｔｓ）、家庭用ゲーム機器、携帯用ゲーム機器、家電機器などの情報処理装置に設けられてもよい。
【００３３】
＜２．記録信号生成部１０の構成＞
図２は、記録信号生成部１０の構成を示した機能ブロック図である。図２に示したように、記録信号生成部１０は、ＣＲＣ符号器１２と、ＬＤＰＣ符号器１４と、インターリーバ１６と、記録信号変換器１８と、を備える。
【００３４】
ＣＲＣ（Ｃｙｃｌｉｃ  ｒｅｄｕｎｄａｎｃｙ  ｃｈｅｃｋ）符号器１２は、供給される記録情報データに対し、ＣＲＣ符号などの誤り検出符号を付加する。ＬＤＰＣ（Ｌｏｗ  Ｄｅｎｓｉｔｙ  Ｐａｒｉｔｙ  Ｃｈｅｃｋ）符号器１４は、低いＳＮ比でも所定のエラー率を確保するための誤り訂正符号化部である。
【００３５】
インターリーバ１６は、ＬＤＰＣ符号器１４による処理後のデータをトラックごとに異なるパターンでインターリーブする。記録信号変換部１８は、インターリーバ１６によるインターリーブ後のデータを磁気の極性信号に変換して記録信号を生成する。そして、記録信号変換部１８により生成された記録信号は、ヘッド８により記録媒体４に記録される。
【００３６】
＜３．ヘッド８の走査制御＞
続いて、本発明の実施形態によるヘッド８の走査制御について説明する。上述したように、本発明の実施形態によるヘッド８は、記録媒体４のトラック幅よりも大きいので、ヘッド８は、複数トラックにまたがった状態で記録媒体４を複数回にわたって走査する。ただし、信号処理装置１は、この複数回にわたる走査に際し、再生信号の検出対象でないトラックにはヘッド８がはみ出さないように（またがらないように）ヘッド８の位置を制御する。以下、図３および図４を参照してより具体的に説明する。
【００３７】
図３は、ヘッド８が記録媒体４を走査する様子を示した説明図である。より詳細には、図３は、２つのトラック（トラック＃１およびトラック＃２）からの再生信号を検出対象とする場合の走査例を示している。この場合、信号処理装置１は、まずトラック＃１およびトラック＃２にまたがる位置Ｐ１でヘッド８が記録媒体４を走査するように制御し、記録媒体４の一回転後、位置Ｐ１よりもトラック＃２側である位置Ｐ２でヘッド８が記録媒体４を走査するように制御する。
【００３８】
ここで、信号処理装置１は、再生信号の検出対象であるトラック＃１およびトラック＃２以外のトラック、すなわち、図３におけるトラック＃１の下側のトラックおよびトラック＃２の上側のトラックにはヘッド８がはみ出さないようにヘッド８の位置を制御する。かかる構成によれば、検出対象以外のトラックからヘッド８が干渉信号を読み出してしまう場合を抑制できるので、後述の再生信号処理部２０による信号検出精度の向上を図ることが可能である。
【００３９】
なお、本明細書においては２つのトラックの再生信号を同時に検出対象とする例に重きをおいて説明するが、本実施形態はかかる例に限定されない。例えば、３つのトラックの再生信号を同時に検出対象とすることも可能であり、この場合、信号処理装置１はヘッド８の走査制御を図４に示すように行ってもよい。
【００４０】
図４は、ヘッド８によるトラック走査の変形例を示した説明図である。図４に示したように、トラック＃１〜トラック＃３からの再生信号を検出対象とする場合、信号処理装置１は、ヘッド８を記録媒体の一回転ごとに位置Ｐ１→位置Ｐ２→位置Ｐ３と移動させる。ただし、信号処理装置１は、再生信号の検出対象であるトラック＃１〜＃３以外のトラック、すなわち、図４におけるトラック＃１の下側のトラックおよびトラック＃３の上側のトラックにはヘッド８がはみ出さないようにヘッド８の位置を制御する。かかる構成により、検出対象のトラックが２つである場合と同様に、後述の再生信号処理部２０による信号検出精度の向上を図ることが可能である。
【００４１】
＜４．再生信号処理部２０の構成＞
続いて、図５および図６を参照し、再生信号処理部２０の構成を詳細に説明する。
【００４２】
図５は、再生信号処理部２０の構成を示した機能ブロック図である。図５に示したように、再生信号処理部２０は、バッファ２２Ａおよび２２Ｂと、マルチトラック信号検出部３０と、を備える。
【００４３】
バッファ２２Ａは、ヘッド８により位置Ｐ１において記録媒体４から読み出された信号を保持する。同様に、バッファ２２Ｂは、ヘッド８により位置Ｐ２において記録媒体４から読み出された信号を保持する。そして、バッファ２２Ａおよびバッファ２２Ｂは、保持したデータを同時にマルチトラック信号検出部３０に出力する。かかる構成により、位置Ｐ１および位置Ｐ２からの同時読み出しが疑似的に実現される。
【００４４】
ここで、位置Ｐ１においてヘッド８はトラック＃１およびトラック＃２にまたがった状態で走査を行うので、位置Ｐ１においてヘッド８により記録媒体４から読み出される信号は、トラック＃１の再生信号およびトラック＃２の再生信号が重畳されたマルチトラック再生信号（重畳再生信号と同意。以下、マルチトラック再生信号＃１と称する。）である。同様に、位置Ｐ２においてもヘッド８はトラック＃１およびトラック＃２にまたがった状態で走査を行うので、位置Ｐ２においてヘッド８により記録媒体４から読み出される信号も、トラック＃１の再生信号およびトラック＃２の再生信号が重畳されたマルチトラック再生信号（以下、マルチトラック再生信号＃２）である。ただし、マルチトラック再生信号＃１とマルチトラック再生信号＃２とでは、位置Ｐ１と位置Ｐ２の相違に基づき、トラック＃１の再生信号とトラック＃２の再生信号の重畳比率が異なる。
【００４５】
マルチトラック信号検出部３０は、バッファ２２Ａおよびバッファ２２Ｂから入力されるマルチトラック再生信号から、繰り返し信号検出処理に基づいてトラック＃１の再生信号およびトラック＃２の再生信号を高い精度で検出する。以下、このようなマルチトラック信号検出部３０の構成について図６を参照して説明する。
【００４６】
図６は、マルチトラック信号検出部３０の構成を示した機能ブロック図である。図６に示したように、マルチトラック信号検出部３０は、２次元パーシャルレスポンスフィルタ３２Ａおよび３２Ｂと、Ｍａｘ−ｌｏｇ−ＭＡＰ検出器３４Ａおよび３４Ｂと、デインターリーバ３６Ａおよび３６Ｂと、ＬＤＰＣ復号器３８Ａおよび３８Ｂと、硬判定部４０Ａおよび４０Ｂと、ＣＲＣ復号器４２Ａおよび４２Ｂと、切替部４４と、インターリーバ４６Ａおよび４６Ｂと、インターリーバ４８Ａおよび４８Ｂと、ソフトレプリカ生成部５０Ａおよび５０Ｂと、干渉キャンセラ５２Ａ、５２Ｂ、５４Ａおよび５４Ｂと、を備える。
【００４７】
２次元パーシャルレスポンスフィルタ３２は、マルチトラック再生信号を一括して処理して、マルチトラック再生信号から各トラックの再生信号を抽出するための処理を行う。具体的には、２次元パーシャルレスポンスフィルタ３２は、トラック間干渉のあるマルチトラック再生信号からトラックｍの再生信号をターゲット応答に等化する事前に取得されたトラック間干渉抑圧用タップ係数に基づき、マルチトラック再生信号からトラック間干渉が抑制されたトラックｍの再生信号を抽出する。例えば、２次元パーシャルレスポンスフィルタ３２Ａがトラック間干渉の抑制されたトラック＃１の再生信号を抽出し、２次元パーシャルレスポンスフィルタ３２Ｂがトラック間干渉の抑制されたトラック＃２の再生信号を抽出する。
【００４８】
Ｍａｘ−ｌｏｇ−ＭＡＰ検出器３４、デインターリーバ３６、およびＬＤＰＣ復号器３８は、２次元パーシャルレスポンスフィルタ３２により抽出された再生信号をビット列に復号するビット復号部として機能する。
【００４９】
例えば、Ｍａｘ−ｌｏｇ−ＭＡＰ検出器３４Ａは、２次元パーシャルレスポンスフィルタ３２により抽出されたトラック＃１の再生信号、およびインターリーバ４６Ａによるインターリーブ後の信号が入力され、これらターゲット応答に則して遅延重畳された信号からＭａｘ−ｌｏｇ−ＭＡＰ検出により各ビットに対する尤度を計算する。そして、デインターリーバ３６Ａは、Ｍａｘ−ｌｏｇ−ＭＡＰ検出器３４Ａにより得られた尤度にデインターリーブを施す。さらに、ＬＤＰＣ復号器３８Ａは、誤り訂正符号を用いてトラック＃１のビット列の復号を行う。
【００５０】
同様に、Ｍａｘ−ｌｏｇ−ＭＡＰ検出器３４Ｂは、２次元パーシャルレスポンスフィルタ３２により抽出されたトラック＃２の再生信号、およびインターリーバ４６Ｂによるインターリーブ後の信号が入力され、これらターゲット応答に則して遅延重畳された信号からＭａｘ−ｌｏｇ−ＭＡＰ検出により各ビットに対する尤度を計算する。そして、デインターリーバ３６Ｂは、Ｍａｘ−ｌｏｇ−ＭＡＰ検出器３４Ｂにより得られた尤度にデインターリーブを施す。さらに、ＬＤＰＣ復号器３８Ｂは、誤り訂正符号を用いてトラック＃１のビット列の復号を行う。
【００５１】
ＣＲＣ復号器４２は、ＬＤＰＣ復号器３８により復号されたビット列に対する硬判定部４０による硬判定後のビット列から、誤り検出符号の復号によりビット誤りの残存を検出する。
【００５２】
切替部４４は、ＣＲＣ復号器４２によりビット誤りの残存が検出された場合、ＬＤＰＣ復号器３８と、インターリーバ４６およびインターリーバ４８を接続する。この接続により、ＬＤＰＣ復号器３８による復号結果がインターリーバ４６およびインターリーバ４８に供給されるようになる。一方、ＣＲＣ復号器４２によりビット誤りが検出されなかった場合、復号されたビット列は再生記録データとして上位レイヤへ出力される。
【００５３】
インターリーバ４８は、各トラックの復号結果に対し、復号で得られた各ビットの尤度を記録時と同様のインターリーブを行う。具体的には、インターリーバ４８Ａはトラック＃１の復号結果をインターリーブし、インターリーバ４８Ｂはトラック＃２の復号結果をインターリーブする。
【００５４】
ソフトレプリカ生成部５０は、インターリーブしたビット尤度を双曲線正接関数を用いてソフトレプリカに変換し、ソフトレプリカに基づいてトラック間干渉ソフトレプリカおよび符号間干渉ソフトレプリカを生成する。
【００５５】
例えば、ソフトレプリカ生成部５０Ａは、トラック＃１に関するソフトレプリカに、事前に推定された符号間干渉タップ係数ベクトルを乗算してトラック＃１の符号間干渉ソフトレプリカを生成し、事前に推定されたトラック間干渉タップ係数ベクトルを乗算してトラック＃１に対するトラック＃２からのトラック間干渉ソフトレプリカを生成する。
【００５６】
同様に、ソフトレプリカ生成部５０Ｂは、トラック＃２に関するソフトレプリカに、事前に推定された符号間干渉タップ係数ベクトルを乗算してトラック＃２の符号間干渉ソフトレプリカを生成し、事前に推定されたトラック間干渉タップ係数ベクトルを乗算してトラック＃２に対するトラック＃１からのトラック間干渉ソフトレプリカを生成する。
【００５７】
干渉キャンセラ（減算部）５２および５４は、ソフトレプリカ生成部５０により生成された干渉ソフトレプリカをマルチトラック再生信号から減算する。
【００５８】
例えば、トラック＃１の信号検出に際しては、干渉キャンセラ５２Ａがマルチトラック再生信号＃１からトラック＃１に対するトラック間干渉ソフトレプリカをソフトキャンセル（減算）し、干渉キャンセラ５４Ａがマルチトラック再生信号＃２からトラック＃２の符号間干渉ソフトレプリカをソフトキャンセルする。
【００５９】
これにより、いずれのマルチトラック再生信号にもトラック＃１の信号が残るので、２次元パーシャルレスポンスフィルタ３２Ａは、干渉キャンセラ５２Ａおよび５４Ａによるソフトキャンセル後のマルチトラック再生信号を等化する。
【００６０】
ここで、２次元パーシャルレスポンスフィルタ３２Ａは、繰り返し信号に対する等化処理を行う場合には、繰り返し一回目と異なるトラック間干渉除去後タップ係数を用いる。このトラック間干渉除去後タップ係数は、マルチトラック再生信号からトラックｍ以外のトラック信号を除去したマルチトラック信号からトラックｍの再生信号をターゲット応答へ等価するものであり、事前のトレーニングにより取得可能である。
【００６１】
同様に、トラック＃２の信号検出に際しては、干渉キャンセラ５４Ｂがマルチトラック再生信号＃２からトラック＃２に対するトラック間干渉ソフトレプリカをソフトキャンセルし、干渉キャンセラ５２Ｂがマルチトラック再生信号＃１からトラック＃１の符号間干渉ソフトレプリカをソフトキャンセルする。
【００６２】
これにより、いずれのマルチトラック再生信号にもトラック＃２の信号が残るので、２次元パーシャルレスポンスフィルタ３２Ｂは、干渉キャンセラ５２Ｂおよび５４Ｂによるソフトキャンセル後のマルチトラック再生信号を、上記のトラック間干渉除去後タップ係数を用いて等化する。
【００６３】
マルチトラック信号検出器３０は、上記の干渉ソフトレプリカを用いた干渉キャンセルの繰り返し処理を、Ｍａｘ−ｌｏｇ−ＭＡＰ検出器３４、デインターリーバ３６、およびＬＤＰＣ復号器３８によるビット列の復号処理と共に、ＣＲＣ復号器４２によりビット誤りが検出されなくなるまで繰り返す。
【００６４】
上述した繰り返し処理による効果を図７および図８を参照して説明する。図７は、繰り返し処理の初期段階での各干渉の残留状態を示した説明図であり、図８は、繰り返し回数が増加した段階での各干渉の残留状態を示した説明図である。
【００６５】
図７に示したように、繰り返しの初期段階であっても、例えばトラック＃１の信号検出に際してはトラック＃１に対するトラック間干渉およびトラック＃２の符号間干渉を大幅に抑制することができるので、信号品質が向上する。この効果により信号検出精度が改善されるとビット尤度が大きくなり、ソフトレプリカがハードレプリカに漸近する。その結果、次の繰り返し処理では、図８に示したようにトラック＃１に対するトラック間干渉およびトラック＃２の符号間干渉をさらに改善される。同時に、隣接トラックへ漏れた有用な信号成分を信号検出に活用できるという効も奏する。
【００６６】
＜５．まとめ＞
以上説明したように、本発明の実施形態によれば、ヘッド８に対して狭い幅でトラックが形成された記録媒体４から、トラック間干渉を除去および活用することによりトラック間干渉を増加させて信号検出を行うことができる。このため、本発明の実施形態によれば、記録媒体４の記録密度の向上を図りつつ、高精度な信号検出を実現することが可能である。
【００６７】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６８】
１      信号処理装置
４      記録媒体
６      スピンドルモータ
８      ヘッド
１０    記録信号生成部
２０    再生信号処理部
２２    バッファ
３０    マルチトラック信号検出部
３２    ２次元パーシャルレスポンスフィルタ
３４    Ｍａｘ−ｌｏｇ−ＭＡＰ検出器
３６    デインターリーバ  
３８    ＬＤＰＣ復号器
４０    硬判定部
４２    ＣＲＣ復号器
４４    切替部
４６、４８  インターリーバ
５０    ソフトレプリカ生成器
５２、５４  干渉キャンセラ
【図１】
2012048800.tif 000006
【図２】
2012048800.tif 000007
【図３】
2012048800.tif 000008
【図４】
2012048800.tif 000009
【図５】
2012048800.tif 000010
【図６】
2012048800.tif 000011
【図７】
2012048800.tif 000012
【図８】
2012048800.tif 000013
【図９】
2012048800.tif 000014
【図１０】
2012048800.tif 000015
【図１１】
2012048800.tif 000016